(57)【要約】【課題】球の流れを２列から１列に変更する部分での球詰まり防止を図る。【解決手段】前側の球Ｐ１が入口隔壁５１から第１湾曲部６０に落下する地点Ｄ１と、後側の球Ｐ２が入口隔壁５１から第１湾曲部６０に落下する地点Ｄ２とは、位置が異なり、球Ｐ３；Ｐ４が第１湾曲部６０から第２湾曲部６１に向かう過程において、複数の球Ｐ３；Ｐ４が縦列したまま下部の蛇行壁５０に沿って流下したとしても、上の球Ｐ４が振子４４に衝突し、振子４４の後端部が振子軸４５を中心として持ち上げられ、球Ｐ５が、矢印Ｘ１で示すように、第１湾曲部６０の下部における蛇行壁５０の上から第２湾曲部６１に向けて落下した場合、当該球Ｐ５は点線で示すように低反発体４３の弧面８８に落下し、低反発体４３が球Ｐ５の衝突した衝撃を吸収し、球Ｐ５が低反発体４３への衝突で暴れることがなく弧面８８に沿って集合部６２に１列となって転がる。【選択図】図２
2006314655.tif 000002
【特許請求の範囲】
【請求項１】
球払出機構のモータが２つの球払出体を回転駆動することによって球を２列に払い出し、球払出機構から２列に払い出された球を縦樋で１列に直して下流側に排出する遊技機の球払出装置において、縦樋が内部に蛇行通路を備え、蛇行通路は、球払出機構から２列に払い出された球を２列のまま受け取って下方に誘導する入口部、入口部から下方に誘導された球を斜め下方に誘導するように縦列可能な対向間隔を有する弧状に曲がった第１湾曲部、第１湾曲部から下方に誘導された球を斜め下方に誘導するように弧状に曲がった第２湾曲部、第２湾曲部から下方に誘導された球を斜めに誘導するような直線的で上方から下方に行くにしたがって徐々に対向間隔が狭くなる集合部が上から下に順に連続した構造であって、第１湾曲部と第２湾曲部との間には振子が複数の球からなる縦列を崩すように上下方向に揺動可能に設けられ、第２湾曲部と集合部との間には低反発体が第２湾曲部から集合部に球を誘導するように設けられたことを特徴とする遊技機の球払出装置。
【請求項２】
低反発体が振子の下流側にだけ配置されたことを特徴とする請求項１記載の遊技機の球払出装置。
【発明の詳細な説明】
【技術分野】
【０００１】
本発明は、球の流れを２列から１列に変更する部分での球詰まりが防止できる遊技機の球払出装置に関する。
【背景技術】
【０００２】
遊技機の球払出装置は、球払出機構のモータが２つのスプロケットのような球払出体を駆動することによって球を２列に払い出し、球払出機構から２列に払い出された球を収斂樋で１列に直して下流側に排出している。しかしながら、収斂樋は、上部から下部に行くにしたがって幅が小さくなるすり鉢部を有し、すり鉢部における相対峙する一方の斜面が衝突した球を他方の斜面に向けて反射し、この他方の斜面が衝突した球を一方の斜面に向けて反射する構造であるため、すり鉢部において球が繰り返される反射で左右に暴れ、すり鉢部の下部に球詰まりが発生するという欠点がある。
【特許文献１】特開２０００−２４２９６号公報
【特許文献２】特開２００１−３４７０１８号公報
【発明の開示】
【発明が解決しようとする課題】
【０００３】
発明が解決しようとする問題点は、球の流れを２列から１列に変更する部分で球詰まりが発生するという点である。
【課題を解決するための手段】
【０００４】
本発明に係る遊技機の球払出装置は、球払出機構のモータが２つの球払出体を回転駆動することによって球を２列に払い出し、球払出機構から２列に払い出された球を縦樋で１列に直して下流側に排出する遊技機の球払出装置において、縦樋が内部に蛇行通路を備え、蛇行通路は、球払出機構から２列に払い出された球を２列のまま受け取って下方に誘導する入口部、入口部から下方に誘導された球を斜め下方に誘導するように縦列可能な対向間隔を有する弧状に曲がった第１湾曲部、第１湾曲部から下方に誘導された球を斜め下方に誘導するように弧状に曲がった第２湾曲部、第２湾曲部から下方に誘導された球を斜めに誘導するような直線的で上方から下方に行くにしたがって徐々に対向間隔が狭くなる集合部が上から下に順に連続した構造であって、第１湾曲部と第２湾曲部との間には振子が複数の球からなる縦列を崩すように上下方向に揺動可能に設けられ、第２湾曲部と集合部との間には低反発体が第２湾曲部から集合部に球を誘導するように設けられたことを最も主要な特徴とする。低反発体が振子の下流側にだけ配置されてもよい。
【発明の効果】
【０００５】
本発明に係る遊技機の球払出装置は、縦樋が内部の蛇行通路に振子および低反発体を備えた構造であるので、球払出機構から２列で排出された球が前後に蛇行しつつ上から下に流れる過程で球噛みすることなく１列に変換されて排出されるという利点がある。低反発体が振子の下流側にだけ配置されれば、高価な低反発体の使用個数を削減できるという利点がある。
【発明を実施するための最良の形態】
【０００６】
図１乃至図７は、発明を実施するための最良の形態である。図１は、縦樋２７の蛇行通路Ｂを平面的に示す。図２は、蛇行通路Ｂの作用を平面的に示す。図３は、パチンコ機における遊技機枠１と遊技盤３１とを分解して前側から示す。図４は、可動枠３を裏側から示す。図５は、縦樋２７を分解して示す。図６は、縦樋２７の外観を示す。図７は、縦樋２７の図６に示すＢ−Ｂ線に沿い切断した断面を示す。この明細書において、「前」、「後」、「裏」、「左」、「右」、「上」、「下」の方向は、図３の状態に遊技機枠１および遊技盤３１を置いて矢印Ａで示す前側から見た場合に特定される方向である。「後」と「裏」とは同じ方向である。
【０００７】
図３を参照し、遊技機の１つであるパチンコ機の構造について説明する。パチンコ機の遊技機枠１は、固定枠２の前側に可動枠３を開閉可能に備え、可動枠３の前側に前扉４および球皿構造体５を開閉可能に備える。固定枠２は、島と呼ばれる遊技機設置構造体に取り付けるための外枠とも呼ばれる。可動枠３は、遊技に必要な部品を取り付ける前枠とも呼ばれる。可動枠３は、左側に位置するヒンジ６を中心とし、固定枠２の前側で前側に開かれかつ後側に閉じられるように、片開き可能である。前扉４および球皿構造体５は、個別に、左側に位置するヒンジ７を中心とし、可動枠３の前側で前側に開かれかつ後側に閉じられるように、片開き可能である。前扉４は、パネル枠とも呼ばれ、前後方向に貫通する窓８を囲む額縁形状である。前扉４には、前面パネル９が、窓８を覆う格好で、裏面に取り付けられる。球皿構造体５は、球受皿部１０および球発射操作機構１１を、球皿構造体５の前面から前側に突出した形態に備える。
【０００８】
そして、少なくとも、前扉４が開けられた状態において、遊技盤３１の内ガイドレール３２と外ガイドレール３３とで囲まれた内側の遊技領域３４が前側に向けられ、遊技盤３１の裏面が可動枠３の方向に向けられ、遊技盤３１が可動枠３の前側から盤収容構造体１２の内部に挿入され、遊技盤３１の下部が盤棚１３の上に載せられ、遊技盤３１の左側部が盤押圧部１４と盤受止部１５との間に挿入されて前後方向から挟まれた後、遊技盤３１の右側部が作業者によって後側に押され、盤ロック操作体１６が遊技盤３１のロック挿入孔３５に後側から挿入されて前側に突出した状態において、作業者が盤ロック操作体１６を例えば右方向に９０度回転操作すると、盤ロック操作体１６がロック挿入孔３５の周りと係合し、遊技盤３１が可動枠３に取り付けられる。
【０００９】
その後、可動枠３が閉じられて固定枠２に開閉不能に支持され、前扉４および球皿構造体５が閉じられて可動枠３に開閉不能に支持され、遊技店の従業員が図４に示す電源装置２３の電源スイッチを投入すると、電源装置２３が遊技機設置構造体に設けられた島電源から供給された交流電源を直流電源に変換し、電源装置２３が変換した直流電源を図４に示す発射払出制御装置２４や図外の主制御装置あるいは図外の複合制御装置および図外の図柄制御装置などの制御装置に供給し、発射払出制御装置２４や主制御装置あるいは複合制御装置および図柄制御装置などの制御装置が起動する。その状態において、遊技者が球受皿部１０に球を入れて球発射操作機構１１を操作すると、発射払出制御装置２４が球発射機構１７を球発射操作機構１１から出力された操作量に応じた発射力で例えば１分間に１から１００発未満までの所定数の間隔で駆動し、球発射機構１７が球受皿部１０の球供給口１８から球発射レール１９に供給された球を１個ずつ遊技盤３１の内ガイドレール３２と外ガイドレール３３との間の球発射通路３６に向けて発射する。球発射通路３６に発射された球が、球発射通路３６から球戻り防止弁３７を押し開けて遊技領域３４に到達した後に遊技領域３４を流下する過程において、複数の入賞部品３８のいずれかに入賞すると、それぞれの入賞に対応する賞球としての球が、球払出装置２０から横樋２１および球取入口２２を経由して球受皿部１０に排出される。
【００１０】
図４を参照し、可動枠３の裏側の構造について説明する。盤収容構造体１２の裏面には、球払出装置２０、電源装置２３、発射払出制御装置２４が設けられる。球払出装置２０は、タンク構造体２５、球払出機構２６、縦樋２７を備える。タンク構造体２５および球払出機構２６は、盤収容構造体１２の上部に左右に並べられ、盤収容構造体１２の裏面に取り付けられる。縦樋２７は、盤収容構造体１２の左部に縦に配置され、盤収容構造体１２の裏面に取り付けられる。球払出機構２６は、モータ２８が２つの球払出体２９ａ；２９ｂを一緒に一方向に回転駆動すると、球払出体２９ａ；２９ｂがタンク構造体２５から１列ずつ２列に分離されて排出された球を１個ずつ球の流れる方向に分離して２つの払出球検出器３０ａ；３０ｂの方向に互い違いに個別に排出する。２つの払出球検出器３０ａ；３０ｂを２列のまま個別に通過した球は、球払出機構２６から縦樋２７に排出される。
【００１１】
図５を参照し、縦樋２７の構造について説明する。縦樋２７は、第１樋構造体４１、第２樋構造体４２、低反発体４３、振子４４、振子軸４５、振子止４６、連結体４７、非常用扉４８など複数の部品から構成される。第１樋構造体４１は、光を透過する性質の有る無色の合成樹脂により、第１基盤４９、蛇行壁５０、入口隔壁５１、振子配置部５２、振子軸取付部５３、振子止取付部５４、低反発収容部５５、低反発取付部５６、結合部５７、周壁５８を備えた、一体の形状に形成された構造である。第１基盤４９は、縦長な方形な板状である。蛇行壁５０は、前後方向に相対峙し、第１基盤４９から第２樋構造体４２の方向に突出し、上から下に順に、入口部５９、第１湾曲部６０、振子配置部５２、第２湾曲部６１、低反発収容部５５、集合部６２、一列部６３、出口部６４を有する。入口隔壁５１は、入口部５９を前後方向の２つの通路に分けるように、第１基盤４９から第２樋構造体４２の方向に突出する。
【００１２】
入口部５９および入口隔壁５１は、上方から取り込んだ球を前側斜めに下方に誘導する。第１湾曲部６０は、入口部５９から前側斜め下方に誘導された球を後側斜め下方に誘導するように弧状に曲がっている。第２湾曲部６１は、第１湾曲部６０から後側斜め下方に誘導された球を前側斜めに下方に誘導するように弧状に曲がっている。集合部６２は、第２湾曲部６１から前側斜めに下方に誘導された球をそのまま前側斜めに誘導するような直線的な部分であって、上方から下方に行くにしたがって徐々に対向間隔が狭くなる三角形である。一列部６３は、集合部６２から下方に誘導された球を１列のまま前後方向に流れる向きを変えさせつつ下方に誘導する。出口部６４は、一列部６３から誘導された球を下方に排出する。
【００１３】
振子配置部５２は、第１湾曲部６０と第２湾曲部６１との間で上部に位置する蛇行壁５０が除去され、振子４４を取り付ける部分として、第１基盤４９に設けられる。振子軸取付部５３は、振子配置部５２の上部に位置し、振子軸４５を嵌め込むために、第１基盤４９の内面から内部への窪みとして、第１基盤４９に設けられる。第１基盤４９の内面は、第２樋構造体４２と対向する側の面である。振子止取付部５４は、振子配置部５２の下部に位置し、振子止４６を嵌め込むために、第１基盤４９の内面から内部への窪みとして、第１基盤４９に設けられる。低反発収容部５５は、第２湾曲部６１と集合部６２との間で下部に位置する蛇行壁５０が除去され、低反発体４３を配置する部分として、第１基盤４９に設けられる。低反発取付部５６は、低反発収容部５５に低反発体４３を固定するために、第１基盤４９から第２樋構造体４２の方向への突起として、第１基盤４９に設けられる。結合部５７は、相対峙する蛇行壁５０と周壁５８とで囲まれた部分に位置し、第１基盤４９から第２樋構造体４２の方向への筒状の突起として、第１基盤４９に設けられる。周壁５８は、第１基盤４９の周縁部から第２樋構造体４２の方向に突出する。
【００１４】
第２樋構造体４２は、光を透過する性質の有る無色の合成樹脂により、第２基盤６６、連結収容部６７、連結操作逃孔６８、連結位置決め部６９、振子軸取付部７０、振子止取付部７１、扉取付部７２、扉挿入口７３、第１扉位置決め部７４、第２扉位置決め部７５、非常用窓７６、扉操作逃部７７、結合部７８、周壁７９、装置取付部８０ａ；８０ｂを備えた、一体の形状に形成された構造である。第２基盤６６は、第１基盤４９と同じ大きさの縦長な方形な板状である。連結収容部６７は、第２樋構造体４２の上部に位置し、連結体４７を縦方向に誘導するために、第２基盤６６の内面から外面の方向に突出する窪みとして、第２基盤６６に形成される。第２基盤６６の内面は、第２基盤６６における第１樋構造体４１に近い方向に位置する面である。第２基盤６６の外面は、第２基盤６６における第１樋構造体４１から離れる方向に位置する面である。連結操作逃孔６８は、連結体４７の取手９９を連結収容部６７の内面から外面の方向に突出するために、連結位置決め部６９よりも上部に位置し、連結収容部６７の内面と外面とへの貫通孔として、連結収容部６７に設けられる。連結収容部６７の内面は、連結収容部６７における第１樋構造体４１に近い方向に位置する面である。連結収容部６７の外面は、連結収容部６７における第１樋構造体４１から離れる方向に位置する面である。連結位置決め部６９は、連結体４７の上部が第１樋構造体４１および第２樋構造体４２よりも上方に突出した場合、連結体４７の位置決め部９８が嵌合することによって、連結体４７の上方への突出した位置を保持するための部分であって、連結操作逃孔６８よりも下部に位置し、連結収容部６７の内面と外面とへの貫通孔として、連結収容部６７に設けられる。
【００１５】
振子軸取付部７０は、振子軸４５を支持するために、振子軸取付部５３と対応し、第２基盤６６の内面から内部への窪みとして、第２基盤６６に設けられる。第２基盤６６の内面は、第１樋構造体４１に近い方向に位置する面である。第２基盤６６の外面は、第１樋構造体４１から離れる方向に位置する面である。振子止取付部７１は、振子止４６を支持するために、振子止取付部５４と対応し、第１基盤４９の内面から内部への窪みとして、第１基盤４９に設けられる。扉取付部７２は、低反発収容部５５および集合部６２と対応し、非常用扉４８を横方向に誘導するために、第２基盤６６の内面から外面の方向に突出する窪みとして、第２基盤６６に形成される。扉挿入口７３は、非常用扉４８を第２樋構造体４２の裏側から扉取付部７２に挿入するために、扉取付部７２と周壁７９との間に前後方向への貫通孔として設けられる。
【００１６】
第１扉位置決め部７４は、非常用扉４８が第１樋構造体４１および第２樋構造体４２よりも外側に突出しないように閉じられた場合、非常用扉４８の位置決め部１０４が嵌合することによって、非常用扉４８をその位置に保持するための部分であって、非常用窓７６よりも前側に位置し、扉取付部７２の内面と外面とへの貫通孔として、扉取付部７２に設けられる。扉取付部７２の内面は、扉取付部７２における第１樋構造体４１に近い方向に位置する面である。扉取付部７２の外面は、扉取付部７２における第１樋構造体４１から離れる方向に位置する面である。第２扉位置決め部７５は、非常用扉４８が第１樋構造体４１および第２樋構造体４２よりも外側に突出するように開けられた場合、非常用扉４８の位置決め部１０４が嵌合することによって、非常用扉４８をその位置に保持するための部分であって、非常用窓７６よりも後側に位置し、扉取付部７２の内面と外面とへの貫通孔として、扉取付部７２に設けられる。
【００１７】
非常用窓７６は、非常用扉４８が開かれることによって開放され、非常用扉４８が閉じられることによって閉鎖されるように、扉取付部７２の内面と外面とへの貫通孔として、扉取付部７２に設けられる。扉操作逃部７７は、扉取付部７２の内面と外面とに貫通しかつ扉挿入口７３の方向から第２位置決め部７５の方向への窪みとして、扉取付部７２における扉挿入口７３の方向に位置する端部に設けられる。結合部７８は、第２基盤６６の内面と外面とに貫通するねじ挿入孔として、第２基盤６６に設けられ、第１樋構造体４１と第２樋構造体４２とが互いに組み合わせられる場合、結合部５７と対応する。周壁７９は、第２基盤６６の周縁部から第１樋構造体４１の方向に突出する。
【００１８】
低反発体４３は、ニトリルゴムを主成分とした低反発ゴムにより、内面８２と外面８３と背面８４と底面８５と上端面８６と下前面８７と弧面８８とで囲まれた立体形である。低反発体４３には、取付部８９が、内面８２と外面８３とへの貫通孔として形成される。
【００１９】
振子４４は、前端部から後端部に行くにしたがって縦寸法が大きくなる板状である。振子４４の前端部には、振子軸受孔９１が、振子４４の内面と外面とへの貫通孔として設けられる。振子４４の内面は、振子４４における第１樋構造体４１の方向に位置する面である。振子４４の外面は、振子４４における第２樋構造体４２の方向に位置する面である。振子４４の後端部には、振子止受孔９２が、振子４４の内面と外面とへの貫通孔として設けられる。振子止受孔９２は、振子軸受孔９１を中心とする１つの円周上に位置し、振子止４６を縦方向に移動可能に取り込むように縦方向に長い孔である。振子軸４５は、振子４４の内面と外面との間の厚さよりも軸方向の長さが長い丸棒により形成される。振子止４６は、振子４４の内面と外面との間の厚さよりも軸方向の長さが長い棒により形成される。
【００２０】
連結体４７は、合成樹脂により、連結基盤９４、位置決め基盤９５、溝９６、弾性片９７、位置決め部９８、取手９９を備えた、一体の形状に形成された構造である。連結基盤９４は、第２樋構造体４２の連結収容部６７に縦方向に移動可能に嵌め込まれる方形の板状である。位置決め基盤９５は、連結基盤９４の上部から連結基盤９４の外側に突出した後に上方に突出する。溝９６は、前後方向に離れて相対峙する一対であって、連結基盤９４の下面と内面および外面に貫通し、連結基盤９４に形成される。連結基盤９４の内面は、連結基盤９４における第１樋構造体４１の方向に位置する面である。連結基盤９４の外面は、連結基盤９４における第２樋構造体４２の方向に位置する面である。弾性片９７は、相対峙する一対の溝９６によって、連結基盤９４の下部に片持ち梁のように設けられ、連結基盤９４との連接部分を中心として、連結基盤９４の内面と外面との方向に撓む板状である。位置決め部９８は、弾性片９７の外面から外側への突起として、弾性片９７の下部に設けられる。取手９９は、弾性片９７よりも上部に位置し、連結基盤９４の外面から外側への突起として、連結基盤９４に設けられる。
【００２１】
非常用扉４８は、合成樹脂により、扉基盤１０１、溝１０２、弾性片１０３、位置決め部１０４、取手１０５を備えた、一体の形状に形成された構造である。扉基盤１０１は、第２樋構造体４２の扉挿入口７３から扉取付部７２に横方向に移動可能に嵌め込まれる方形の板状である。溝１０２は、上下方向に離れて相対峙する一対であって、扉基盤１０１の前面と内面および外面に貫通し、扉基盤１０１に形成される。扉基盤１０１の内面は、扉基盤１０１における第１樋構造体４１の方向に位置する面である。扉基盤１０１の外面は、連結基盤９４における第２樋構造体４２の方向に位置する面である。弾性片１０３は、相対峙する一対の溝１０２によって、扉基盤１０１の前部に片持ち梁のように設けられ、扉基盤１０１との連接部分を中心として、扉基盤１０１の内面と外面との方向に撓む板状である。位置決め部１０４は、弾性片１０３の外面から外側への突起として、弾性片１０３の前部に設けられる。取手１０５は、扉基盤１０１の後部から外側への突起として、扉基盤１０１に設けられる。
【００２２】
図５において、縦樋２７の組み立て方について説明する。振子軸４５が振子軸取付部５３に嵌め込まれ、振子止４６が振子止取付部５４に嵌め込まれ、振子軸受孔９１が振子軸４５に嵌め込まれ、振子止受孔９２が振子止４６に嵌め込まれることによって、振子止４６が振子止受孔９２の内部に移動し得る範囲において、振子４４が振子軸４５を中心とし縦方向たる上下方向に回転可能に振子配置部５２に格納される。連結体４７の取手９９が
第１樋構造体４１の内側から連結操作逃孔６８に挿入され、連結基盤９４が連結操作逃孔６８に縦方向たる上下方向に移動可能に格納される。低反発体４３の弧面８８および下前面８７が前側に向けられ、背面８４が後側に向けられ、上端面８６が上側に向けられ、内面８２が第１樋構造体４１の方向に向けられ、外面８３が第２樋構造体４２の方向にむけられ、取付部８９が第１樋構造体４１の外側から低反発取付部５６に嵌め込まれ、低反発体４３が低反発収容部５５に格納される。このように低反発体４３が低反発収容部５５に格納されると、弧面８８が第２湾曲部６１から集合部６２に球を誘導するように第２湾曲部６１と集合部６２とに繋がる。
【００２３】
次に、連結基盤９４が入口部５９および入口隔壁５１を覆うように、蛇行壁５０と第２基盤６６とが互いに向かい合わせられ、周壁５８が周壁７９の内側に取り込まれるように、周壁５８と周壁７９とが互いに嵌め込まれ、結合部５７と結合部７８とが互いに重ね合わせられ、第２基盤６６の内面と蛇行壁５０の外面とが互いに接触し、第２基盤６６の内面が相対峙する蛇行壁５０の間の開口を塞ぐ。その後、タッピングスクリューのような止ねじ１０７が結合部７８から結合部５７に締結される。これによって、第１樋構造体４１と第２樋構造体４２とからなる縦樋２７の内部には、低反発体４３、振子４４、入口部５９、第１湾曲部６０、第２湾曲部６１、集合部６２、一列部６３、出口部６４からなる図１に示す蛇行通路Ｂが形成される。図３の球払出機構２６から２列に排出された球を前後に蛇行しつつ上から下に流す過程において１列に変換して下方に排出する
【００２４】
図１を参照し、蛇行通路Ｂの構造について説明する。蛇行通路Ｂは、図３の球払出機構２６から２列で排出された球を前後に蛇行しつつ上から下に流す過程において１列に変換して下方に排出する。具体的には、入口隔壁５１で２つの通路に分けられた各入口部５９は、球が１個ずつ上方から下方に通過可能であるが、２個の球が前後方向に並列に通過不可能な寸法である。第１湾曲部６０における球の通過する部分の間隔Ｔ１、振子配置部５２における球の通過する部分の間隔Ｔ２、第２湾曲部６１における球の通過する部分の間隔Ｔ３、低反発体４３の弧面８８と蛇行壁５０とによる球の通過する部分の間隔Ｔ４、集合部６２における上部の球の通過する部分の間隔Ｔ５は、１個の球の直径をＤとすると、２×Ｄ乃至２．２×Ｄの範囲における寸法に設定される。つまり、第１湾曲部６０、第２湾曲部６１、低反発体４３の部分は、２個の球が前後方向に並列に通過不可能な寸法である。振子配置部５２、集合部６２の上部は、２個の球が上下方向に並列に通過不可能な寸法である。集合部６２の下部、一列部６３、出口部６４のそれぞれにおける球の通過する部分の間隔Ｔ６は、球が１個ずつ上方から下方に通過可能な寸法であるが、２個の球が前後方向に並列に通過不可能な寸法である。つまり、集合部６２の下部、一列部６３、出口部６４は、球が上から下に縦列した一列の状態で通過可能な寸法である。振子４４が自重で振子軸４５を中心として下方に回転し、振子止受孔９２の上端部が振子止４６に受け止められた状態における振子４４の最下面とそれに対応する蛇行壁５０との間の間隔Ｔ７は、Ｄよりも大きく、２×Ｄ未満の寸法に設定される。集合部６２の通路が狭くなる傾斜角度は、仮想線で示す平行線Ｌと下部の蛇行壁５０ａとで挟まれた角度θが３０度となるように設定される。平行線Ｌは、集合部６２の通路の幅が最も狭くなる部分における下部の蛇行壁５０ａを通りかつ集合部６２の上部の蛇行壁５０ｂと平行な直線である。図１において、Ｐは球である。
【００２５】
図２を参照し、蛇行通路Ｂの作用について説明する。図２のａ図において、前側の入口部５９に取り込まれた球Ｐ１が入口隔壁５１の斜面から第１湾曲部６０に落下する地点Ｄ１と、後側の入口部５９に取り込まれた球Ｐ２が入口隔壁５１の斜面から第１湾曲部６０に落下する地点Ｄ２とは、位置が異なる。よって、前側の入口部５９に取り込まれた球Ｐ１および後側の入口部５９に取り込まれた球Ｐ２は、蛇行通路Ｂの内部で互いに異なる地点Ｄ１；Ｄ２から第１湾曲部６０の下部における蛇行壁５０の上を１列となって転がり、球噛みの発生が防止できるという利点がある。例えば、図２のａ図に示すように、複数の球Ｐ３；Ｐ４が第１湾曲部６０から第２湾曲部６１に向かう過程において、球Ｐ４が球Ｐ３の上に乗っかるように、複数の球Ｐ３；Ｐ４が縦列したまま下部の蛇行壁５０に沿って流下したとしても、複数の球Ｐ３；Ｐ４が縦列したまま流下するのに伴い、上の球Ｐ４が振子４４に衝突し、振子４４の後端部が振子軸４５を中心として持ち上げられる。このような上の球Ｐ４の振子４４への衝突と振子４４の振子軸４５を中心とした上方への移動との相乗作用によって、上記球Ｐ３；Ｐ４の縦列が崩れ、球噛みの発生が防止できるという利点がある。図２のｂ図において、球Ｐ５が、矢印Ｘ１で示すように、第１湾曲部６０の下部における蛇行壁５０の上から第２湾曲部６１に向けて落下した場合、当該球Ｐ５は点線で示すように低反発体４３の弧面８８に落下するので、低反発体４３が球Ｐ５の衝突した衝撃を吸収し、球Ｐ５が低反発体４３への衝突で暴れることがなく弧面８８に沿って集合部６２に１列となって転がり、球噛みの発生が防止できるという利点がある。
【００２６】
最良の形態によれば、縦樋２７が、入口隔壁５１で２つの通路に分けられた入口部５９、第１湾曲部６０と第２湾曲部６１との間に設けられた振子４４、第２湾曲部６１と集合部６２との間に設けられた低反発体４３を備えた構造であるので、図３の球払出機構２６から２列で排出された球が前後に蛇行しつつ上から下に流れる過程で球噛みすることなく１列に変換されて排出されるという利点がある。
【００２７】
図６を参照し、縦樋２７の裏側の構造について説明する。第１樋構造体４１の第１基盤４９には、装置取付部８１が、第１基盤４９の裏面から裏側に突出した突起として設けられる。
【００２８】
図７において、第１基盤４９の外面が仮想線で示す盤収容構造体１２の右側面に接触して重ね合わされるように、装置取付部８１が盤収容構造体１２の右側面から内部への窪みとして形成された図外の縦樋取付部に嵌めこまれることによって、縦樋２７の盤収容構造体１２に対する取付位置が確定する。また、第１扉位置決め部７４と位置決め部１０４とが互いに嵌め合わされ、非常用扉４８が非常用窓７６を閉鎖して閉じられている場合、非常用扉４８が蛇行通路Ｂにおける非常用窓７６と対応する部分を覆い隠している。そして、人が指を縦樋２７の右外側から扉操作逃部７７を経由して取手１０５に掛けて矢印Ｘ２で示す後側に押し動かすと、突起なる位置決め部１０４が孔なる第１扉位置決め部７４を囲む扉取付部７２から右方向への外力を受け、弾性片１０３が右方向に撓み、位置決め部１０４が第１扉位置決め部７４から解除され、非常用扉４８が開かれて非常用窓７６を開放した後、位置決め部１０４が第２扉位置決め部７５に嵌合し、非常用扉４８が縦樋２７から落下しないように保持されるという利点がある。このように非常用扉４８が開けられ、非常用窓７６が開放されると、人が縦樋２７の外側から蛇行通路Ｂに対する保守作業を行うことができるという利点がある。図７において、Ｔ８は、蛇行通路Ｂにおける第１基盤４９の内面と第２基盤６６の内面との間の対向間隔や蛇行通路Ｂにおける非常用扉４８の内面と第２基盤６６の内面との間の対向間隔であって、１個の球Ｐが通過可能であるが、球Ｐが２個の左右方向に並列に通過不可能な寸法である。
【００２９】
図４に示すように、球払出機構２６が盤収容構造体１２の裏面に図外の固着具で取り付けられ、縦樋２７が盤収容構造体１２の裏面に図外の固着具で取り付けられた後、人が取手９９を持ち上げると、連結体４７の連結基盤９４が第１樋構造体４１および第２樋構造体４２よりも上方に突出して球払出機構２６の球出口部に係合し、球払出機構２６から２列で排出される球が縦樋２７に適切に誘導されるという利点がある。
【産業上の利用可能性】
【００３０】
図８に示すように、低反発体４３；１０９を使用してもよい。低反発体４３は、第２湾曲部６１と集合部６２との間に設けられる。低反発体１０９は、第１湾曲部６０に設けられる。しかしながら、低反発体４３；１０９は高価である。よって、最良の形態のように第２湾曲部６１と集合部６２との間にだけ低反発体４３を設ければ、低反発体の使用個数を削減することができる。遊技機としては、球を遊技媒体として使用するスロットマシンであってもよい。
【図面の簡単な説明】
【００３１】
【図１】蛇行通路を示す模式図（最良の形態）。
【図２】蛇行通路の作用を説明する模式図（最良の形態）。
【図３】遊技機枠と遊技盤とを前側から示す分解斜視図（最良の形態）。
【図４】可動枠を裏側から示す斜視図（最良の形態）。
【図５】縦樋を示す分解斜視図（最良の形態）。
【図６】縦樋を示す斜視図（最良の形態）。
【図７】図６のＥ−Ｅ線断面図（最良の形態）。
【図８】蛇行通路の上部を示す模式図（異なる形態）。
【符号の説明】
【００３２】
１    遊技機枠
２    固定枠
３    可動枠
２０  球払出装置
２６  球払出機構
２７  縦樋
４３  低反発体
４４  振子
５９  入口部
６０  第１湾曲部
６１  第２湾曲部
６２  集合部
６３  一列部
Ｂ    蛇行通路
【図１】
2006314655.tif 000003
【図２】
2006314655.tif 000004
【図３】
2006314655.tif 000005
【図４】
2006314655.tif 000006
【図５】
2006314655.tif 000007
【図６】
2006314655.tif 000008
【図７】
2006314655.tif 000009
【図８】
2006314655.tif 000010